(57)【要約】【課題】居住者の手の届く位置に室内機筐体を設置して、快適な空調を行える空気調和機を提供する。【解決手段】熱交換器３と熱交換した空気を室内の上方に吹出したい場合には回動可能に設けられたファンケーシング４３を回動手段４４により回動しファンケーシング４３の吹出口４２を、室内機筐体２の前記上側空気吹出部５２１に接続する。次に、熱交換器３と熱交換した空気を室内の下方に吹出したい場合には、回動可能に設けられたファンケーシング４３を回動手段４４により回動しファンケーシング４３の吹出口４２を、室内機筐体２の前記下側空気吹出部５２２に接続する。これにより、吹出し方向を変えるのにファンケーシング４３自体を回転させて吹出口４２を上側空気吹出部５２１又は下側空気吹出部５２２に接続するため、仕切り弁を設けることなく風向を変えることができる。【選択図】図１
2004301403.tif 000002
【特許請求の範囲】
【請求項１】
多翼ファンと、同多翼ファンを収納し、その吹出方向に沿って吹出口を有するファンケーシングと、同多翼ファンを駆動するモータとからなる送風機を備え、前記送風機の駆動により、室内空気を室内機筐体内に吸い込み、同筐体内に配置された熱交換器と熱交換した前記吸い込み空気を、前記室内機筐体に設けた空気吹出部から吹出すよう構成してなる空気調和機において、
前記空気吹出部は、前記室内機筐体の上側に設けられた上側空気吹出部と下側に設けられた下側空気吹出部とで構成され、前記ファンケーシングは所定の回動手段によって回動可能に設けられ、前記ファンケーシングを前記回動手段により回動することにより、ファンケーシングの吹出口を前記上側空気吹出部あるいは下側空気吹出部に選択的に接続してなることを特徴とする空気調和機
【請求項２】
前記上側空気吹出部には、前記室内機筐体上面に上部風向板が開閉自在に配置されるとともに、同上部風向板は室内機筐体の内側に向って凸に形成され、下側空気吹出部には、下部風向板が開閉自在に配置されるとともに、同下部風向板は室内機筐体の内側に向って凹に形成されていることを特徴とする請求項１記載の空気調和機
【請求項３】
前記室内機筐体の前面パネルに、操作ボタンと、運転状態や室内温度等を表示する表示部とを備えたリモートコントローラーが着脱自在に設けられていることを特徴とする請求項１記載又は請求項２記載の空気調和機
【請求項４】
前記室内機筐体内には、熱交換器から滴下したドレン水を前記室内機筐体よりも高い位置にある配管穴を通して排水させるための揚水手段が備えられていることを特徴とする請求項１乃至請求項３記載の空気調和機
【発明の詳細な説明】
【０００１】
【発明の属する技術分野】本発明は、居住者の手の届く位置に室内機筐体を設置して、快適な空調を行うとともに、平易な操作と安全なメンテナンスを行う事ができる空気調和機に関する。
【０００２】
【従来技術】
従来の空気調和機の室内機筐体は、通常部屋の高所に設置されている上、特開平１１−１５９８５４号公報に示されるように、顧客の手によってフィルターを室内機筐体の前面パネルから抜き出して手洗いし、再び顧客の手によってフィルターを前面パネルに挿入するよう構成されていた。
【０００３】この方法では、転倒を恐れる高齢者や男性に比べて平均身長の低い女性にとってフィルターの着脱が困難を極めたり、作業そのものが敬遠されるという問題があった。
【０００４】このようにしてフィルターが長期間にわたって清掃されず、フィルター上にゴミがたまったままで空気調和機が運転されると、室内機から吹き出される空気がフィルター上のゴミの層を通過するため不衛生なうえ、フィルターが抵抗となり空気吸い込み性能が悪化し、十分な冷房あるいは暖房が行われないばかりか消費電力量が増大するという問題があった。
【０００５】メンテナンスのことを考え、空気調和機の室内機筐体を、高所ではなく顧客の手の届く場所に設置した場合、冷風を上方に吹出し温風を下方に吹出すためには、空気調和機の空気吹出口を上下に設けるという構造をとることが考えられる。
【０００６】このように空気吹出口を上下に設ける構造については、上下吹出口につながる風道内に仕切り弁を各々設けて風を上下いずれかに分配するものが特開昭５５−８５８２７号公報に記載されている。しかし、仕切り弁を閉じて風道を仕切る場合、仕切り弁が風道を完全に遮ることは難しく、また、送風機からの送風を受けつづける仕切り弁は、長期間の使用の結果位置ずれを起こし、仕切り弁が遮る風道に隙間を生じる恐れもある。また、この隙間から空気がもれる際に騒音を生じる恐れもある。
【０００７】また、特開昭５５−８５８２７号公報に記載された発明によれば、空気の流れる方向が短い距離内で９０度以上曲げられてしまい、送風量性能が悪いうえ、消費電力が大きく騒音が高いという問題点を有していた。この送風性能を改善するためにファンを２つ設けるものが特開昭５５−９６８５０号公報に記載されているが、ファンを２つも設けることは大幅な原価高になるという弊害がある。
【０００８】１個だけの送風機を使う方法としては、特開平１０−２１３３２９号公報に記載されているが、この場合には冷房運転時及び暖房運転時の両方において、調和空気が上下左右に吹き出されてしまい、冷風を上方向吹出しのみとし温風を下方向吹出しのみとすることができず、不快な空調方法となってしまう欠点があった。
【０００９】さらに、従来の空気調和機は、冷房運転時、居住者及び室内が十分に冷房されているにもかかわらず、空気調和機の運転開始時の設定温度のまま長時間運転されることによって、居住者がいわゆる「冷房病」になり、体調を崩すという問題があった。暖房運転においても同様に過剰な暖房が行われるケースが発生し、快適感を損なうとともに、電力の無駄使いになっていた。
【００１０】
【特許文献１】特開平１１−１５９８５４号公報
【００１１】
【特許文献２】特開昭５５−８５８２７号公報
【００１２】
【特許文献３】特開昭５５−９６８５０号公報
【００１３】
【特許文献４】特開平１０−２１３３２９号公報
【００１４】
【発明が解決しようとする課題】本発明においては、上記の問題点に鑑み、居住者の手の届く位置に室内機筐体を設置して、平易な操作と安全なメンテナンスを行うとともに、快適な空調を行うことのできる空気調和機を提供することを目的する。
【００１５】
【課題を解決するための手段】
上記課題を解決するために、本発明の請求項１に記載の発明は
多翼ファンと、同多翼ファンを収納し、その吹出方向に沿って吹出口を有するファンケーシングと、同多翼ファンを駆動するモータとからなる送風機を備え、前記送風機の駆動により、室内空気を室内機筐体内に吸い込み、同筐体内に配置された熱交換器と熱交換した前記吸い込み空気を、前記室内機筐体に設けた空気吹出部から吹出すよう構成してなる空気調和機において、
前記空気吹出部は、前記室内機筐体の上側に設けられた上側空気吹出部と下側に設けられた下側空気吹出部とで構成され、前記ファンケーシングは所定の回動手段によって回動可能に設けられ、前記ファンケーシングを前記回動手段により回動することにより、ファンケーシングの吹出口を前記上側空気吹出部あるいは下側空気吹出部に選択的に接続してなる空気調和機とする
【００１６】これによれば、ファンケーシング自体が回動することにより、その吹出し方向を上下任意に設定することができるばかりでなく、多翼ファンの性能を落とさずに空気を吹出すことが可能になる。
【００１７】また、本発明の請求項２に記載の発明は、
前記上側空気吹出部には、前記室内機筐体上面に上部風向板が開閉自在に配置されるとともに、同上部風向板は室内機筐体の内側に向って凸に形成され、下側空気吹出部には、下部風向板が開閉自在に配置されるとともに同下部風向板は室内機筐体の内側に向って凹に形成されていることを特徴とする。
【００１８】これによれば、ファンケーシング自体が回動することにより、多翼ファンの性能を落とさずに空気を吹出し方向を上又は下に変えることが出来るだけでなく、空気を下方に吹出す場合には確実に下方吹出しを行え、上方に吹出す場合にも確実に上方吹出しを行うことが可能になる。
【００１９】また、本発明の請求項３に記載の発明は、
前記室内機筐体の前面パネルに、操作ボタンと、運転状態や室内温度等を表示する表示部とを備えたリモートコントローラーが着脱自在に設けられていることを特徴とする。
【００２０】これによれば、リモートコントローラーの運転表示部を空気調和機１の運転表示部に兼ねることが可能になる。
【００２１】また、本発明の請求項４に記載の発明は、
前記室内機筐体内には、熱交換器から滴下したドレン水を前記室内機筐体よりも高い位置にある配管穴を通して排水させるための揚水手段が備えられていることを特徴とする。
【００２２】これによれば除霜水を室内機筐体より高い位置にある配管穴を通して排水させること出来るので、今までの配管穴を使用することが可能となる。
【００２３】
【発明の実施の形態】
【００２４】以下、本発明の実施の形態について、図１から図４を用いて説明する。
【００２５】本発明の実施の形態１について、図面を参照しながら説明する。
図１と図２は本発明の実施の形態１における空気調和機の室内機１をあらわす図であって、図１（ａ）及び図２（ａ）は室内機筐体２を側面から見た際の縦断面図であり、図１（ｂ）及び図２（ｂ）は室内機筐体２を正面から見た際の部分断面図である。
【００２６】図１には、室内機筐体２の正面より室内空気を吸って上方に吹出す場合の室内機１を示しており、図２には、室内機筐体２の正面より室内空気を吸って下方に吹出す場合の室内機１を示している。
【００２７】図１及び図２に示すように、室内機１の室内機筐体２には、空気吸込部５１と空気吹出部５２とが設けられた前面パネル５と、ベース２１とが設けられており、前記室内機筐体２内には、熱交換器３と、送風機４とが設けられている。
【００２８】そして、前記空気吹出部５２は、前記室内機筐体２の上側に設けられた上側空気吹出部５２１と下側に設けられた下側空気吹出部５２２とで構成されている。
【００２９】前記送風機４は多翼ファン４１と同多翼ファン４１を収納するとともに多翼ファン４１の吹出方向に沿って吹出口４２を有するファンケーシング４３と前記多翼ファンを駆動するモータ４６とから構成されている。前記ファンケーシング４３は回動可能に設けられており、回動手段４４により回動される。
【００３０】回動手段４４はモータ４４２と同モータ４４２により回転する歯車４４１とより構成される。ファンケーシング４３の前記歯車４４１と向き合っている側は、前記回動手段４４の回動と連動してファンケーシング４３が回動するために、前記歯車４４１と噛み合う形状（図示せず）となっている。
【００３１】前記熱交換器３と多翼ファン４１との間には、熱交換器３を通過した空気を前記ファンケーシング４３内に取り込むための吸込開口部４５が熱交換器３と少許の距離を保って配置されている。
【００３２】なお、同吸込開口部４５には円状の開口４５１が設けられており、同開口４５１の周縁は所定の曲面状に形成されている。この曲面状に形成された前記開口４５１周縁は、前記多翼ファン４１への空気の流れを整流するベルマウスとしての機能を果たしている。
【００３３】以上のように構成された空気調和機の室内機１について、以下にその動作を説明する。
【００３４】前記送風機４の駆動により、室内機筐体２の前面パネル５の空気吸込部５１より室内の空気を室内機筐体２の内部に吸い込む。吸込まれた空気は、熱交換器３と熱交換した後、空気吹出部５２より室内に吹き出される。
【００３５】熱交換器３と熱交換した空気を室内の上方に吹出したい場合、例えば冷房運転時などに上方吹出しを行う場合、回動可能に設けられたファンケーシング４３を回動手段４４により回動しファンケーシング４３の吹出口４２を、室内機筐体２の前記上側空気吹出部５２１に接続する。このときの状態を図１に示している。
【００３６】次に、熱交換器３と熱交換した空気を室内の下方に吹出したい場合、例えば暖房運転時などに下方吹出しを行う場合には、回動可能に設けられたファンケーシング４３を回動手段４４により回動しファンケーシング４３の吹出口４２を、室内機筐体２の前記下側空気吹出部５２２に接続する。このときの状態を図２に示している。
【００３７】従って、吹出し方向を変えるのにファンケーシング４３自体を回転させて吹出口４２を上側空気吹出部５２１又は下側空気吹出部５２２に接続するため、仕切り弁を設けることなく風向を変えることができる。
【００３８】次に、本発明による実施の形態２について、図面を参照しながら説明する。なお、実施の形態１と同一構成については、同一符号を付して詳細な説明を省略する。
【００３９】本発明の実施の形態２についても図１及び図２を参照する。
【００４０】本発明の実施の形態２については、前記上側空気吹出部５２１に、上部風向板５３が開閉自在に配置されている。同上部風向板５３は図２に示すように、室内機筐体２の内側に向って凸に形成されている。
前記下側空気吹出部５２２には、下部風向板５４が開閉自在に配置されている。同下部風向板５４は図１に示すように、室内機筐体２の内側に向って凹に形成されている
【００４１】以上のように構成された上部及び下部風向板について、以下にその動作を説明する。
【００４２】熱交換器３と熱交換した空気を室内の上方に吹出したい場合、例えば冷房運転時などに上方吹出しを行う場合、回動可能に設けられたファンケーシング４３を回動手段４４により回動しファンケーシング４３の吹出口４２を、室内機筐体２の前記上側空気吹出部５２１に接続する。そして前記上部風向板５３を上部風向板軸支部５３１を中心に回動することにより上側空気吹出部５２１を開口４５１する。このときの状態を図１に示している。
【００４３】上部風向板５３は凸形状とされていることから上側空気吹出部５２１から吹出された空気を確実に上方に吹出すことが出来る。
【００４４】熱交換器３と熱交換した空気を室内の下方に吹出したい場合、例えば暖房運転時などに下方吹出しを行う場合には、回動可能に設けられたファンケーシング４３を回動手段４４により回動しファンケーシング４３の吹出口４２を、室内機筐体２の前記下側空気吹出部５２２に接続する。
【００４５】そして前記下部風向板５４を下部風向板軸支部５４１を中心に回動することにより下側空気吹出部５２２を開口４５１する。このときの状態を図２に示している。
【００４６】下部風向板５４は凹形状とされていることから下側空気吹出部５２２から吹出された空気を確実に下方に吹出すことが出来る。
【００４７】次に、本発明による実施の形態３について、図面を参照しながら説明する。なお、実施の形態１又は２と同一構成については、同一符号を付して詳細な説明を省略する。
【００４８】図３及び図４は本発明による実施の形態３における室内機筐体２の外観を表す斜視図及びリモートコントローラー６斜視図である。
【００４９】図３及び図４に示すように室内機筐体２に着脱自在に設置されたリモートコントローラー６は、赤外線発信部６１と電池部６２と運転／切りボタン６３と暖房ボタン６４と冷房ボタン６５と除霜ボタン６６とを有し、同リモートコントローラー６が室内機筐体２に装着された際、居住者が視認可能な側に運転表示部６７を有している。
【００５０】以上のように構成されたリモートコントローラ−６について、以下にその動作を説明する。
【００５１】前記空気調和機の運転は、前記リモートコントローラー６により行われる。同リモートコントローラー６には、前記空気調和機の運転を行うための操作ボタン（例えば運転／切りボタン６３等）が配置されており、この各操作ボタンを押下すると、リモートコントローラー６の室内機筐体２への着脱に係わらず、リモートコントローラー６の赤外線発信部６１から信号が発信される。
【００５２】室内機筐体２に設けた信号受信部（図示せず）で前記信号を受信すると、同室内機筐体２の一端に設置された電気品箱８に備えられた制御手段（図示せず）により前記空気調和機の運転が制御される。
【００５３】前記リモートコントローラー６は、前記室内機筐体２を顧客の手の届く場所に設置することが可能であることから、前記室内機筐体２に着脱自在に設けることができる。従って、前期リモートコントローラー６によれば、室内機筐体２から取り外された場合には、室内機筐体２から離れた場所からでも空気調和機１の運転を制御することができる。また、前記リモートコントローラー６を室内機筐体２に装着した場合には、同リモートコントローラー６の運転表示部６７が居住者に視認可能な側にくるので、室内機筐体２の運転表示部を兼ねることができ、室内機筐体２に別途運転表示部を設ける必要がない。
【００５４】次に、本発明による実施の形態４について、図面を参照しながら説明する。なお、実施の形態１及び２と同一構成については、同一符号を付して詳細な説明を省略する。
【００５５】図５は本発明の実施の形態４を表す図である。
【００５６】１０は室内機筐体２よりも高い位置にある配管穴、１１は除湿水を室内機筐体２よりも高い位置にある配管穴を通して排水させるための揚水手段、１２は除湿水を受けるためのドレンパン、１３は同除湿水をドレンパンに導くための導水管、１４は配水管を含む室外へ連通する配管群である。
【００５７】以上のように構成された除湿水排水構造について、以下にその動作を説明する。
【００５８】前記空気調和機を運転する際、室内空気が熱交換器３と熱交換する際に除湿水が発生する。この除湿水を受けるために図５に点線で示されているように、ドレンパン１２が熱交換器３の下方に配置されている。ドレンパン１２に滴下した除湿水は導水管１３に導かれる。導水管１３は、冷媒管（図示せず）等と束ねられ配管群１４として配管穴１０を通り室外へ導かれる。従って除湿水は導水管１３を通って室外に排水される。
【００５９】ここで、図５にあるようにドレンパン１２よりも配管穴１０が高い位置に設置されている場合には、ドレンパン１２に滴下される除湿水はそのままでは配管穴１０を通って室外へ排水されない。
【００６０】そこで、導水管１３によりドレンパン１２内の除湿水を揚水手段１１に導いて、この揚水手段１１により除湿水を吸い上げて、ドレンパン１２より高所の配管穴１０からであっても除湿水の排水が行えるようにした。
【００６１】次に、本発明に係る空気調和機において、快適感を損なわず、電力の無駄使いにもならない運転方法を図５を参照しながら説明する。なお、実施の形態１及び２と同一構成については、同一符号を付して詳細な説明を省略する。
【００６２】７は温度センサー部、９は人検知センサー部である。温度センサー部７は室内の天井温度や床温度、居住者の皮膚表面温度を測ることができるものであり、人検知センサー部９は室内に居住者がいるかどうかを検知することができるものである。
【００６３】暖房運転時には、前記ファンケーシング４３の回動により前記吹出口４２を前記空気吹出部５２のうちの一つである下側空気吹出部５２２に接続する。そして、暖房運転中に温度センサー部７が検知した室内の天井温度が所定の温度以上になった場合には、制御手段は前記ファンケーシング４３を回動手段４４により回動し、前記吹出口４２を前記空気吹出部５２のうちの一つである上側空気吹出部５２１に接続する。
【００６４】冷房運転時には、前記ファンケーシング４３の回動により前記吹出口４２を前記空気吹出部のうちの一つである上側空気吹出部５２１に接続する。そして、冷房運転中に温度センサー部７が検出した室内の床温度が所定の温度以下になった場合には、制御手段は前記ファンケーシング４３を回動手段４４により回動し、前記吹出口４２を前記空気吹出部５２のうちの一つである下側空気吹出部５２２に接続する。
【００６５】このように運転することにより、暖房運転時は温風下方吹出しができるとともに、暖房運転を続けた結果天井に暖かい空気が溜まり天井温度が上昇した場合には、ファンケーシング４３を回動させて前記吹出口４２を上側空気吹出部５２１に接続することにより上側空気吹出部５２１から空気の吹出しを行うことができるので、天井の空気を掻き下ろすことによって部屋内温度を均一にし、健康的かつ省エネルギーな空調を行える。
【００６６】同様に、冷房運転時は冷風上方吹出しができるとともに、冷房運転を続けた結果床に冷たい空気が溜まり床温度が下降した場合には、ファンケーシング４３を回動させて前記吹出口４２を下側空気吹出部５２２に接続することにより下側空気吹出部５２２から空気の吹出しを行うことができるので、床の空気を掻き上げることによって部屋内温度を均一にし、健康的かつ省エネルギーな空調を行える
【００６７】また、他の運転方法としては、冷房運転時に、温度センサー部７が検出した居住者の皮膚表面温度が所定温度まで冷やされた場合や所定温度下降した場合には、制御手段は設定温度を自動的に引き上げる。そして、暖房運転時であって、前記居住者の皮膚温度温度が所定温度まで暖められた場合や所定温度上昇した場合には、制御手段は設定温度を自動的に引き下げる。
【００６８】このように運転することにより、冷房運転時には居住者が冷やされすぎることが防止され、居住者にとって快適な運転が行われるとともに、過剰な冷房又は暖房運転を防止でき省エネルギーな空調を行える。
【００６９】また、他の運転方法としては、人検知センサー９が居住者を所定の時間以上検知しなかった場合には、制御手段は前記空気調和機の運転を停止する。
【００７０】このように運転することにより、例えば空気調和機の運転を停止し忘れたときや長時間部屋にいない場合には、自動的に空気調和機の運転が停止されるので、不要な運転による電力の無駄使いが防止できる。
【００７１】
【発明の効果】以上に説明したように本発明は、
多翼ファンと、同多翼ファンを収納し、その吹出方向に沿って吹出口を有するファンケーシングと、同多翼ファンを駆動するモータとからなる送風機を備え、前記送風機の駆動により、室内空気を室内機筐体内に吸い込み、同筐体内に配置された熱交換器と熱交換した前記吸い込み空気を、前記室内機筐体に設けた空気吹出部から吹出すよう構成してなる空気調和機において、
前記空気吹出部は、前記室内機筐体の上側に設けられた上側空気吹出部と下側に設けられた下側空気吹出部とで構成され、前記ファンケーシングは所定の回動手段によって回動可能に設けられ、前記ファンケーシングを前記回動手段により回動することにより、ファンケーシングの吹出口を前記上側空気吹出部あるいは下側空気吹出部に選択的に接続してなる空気調和機としたので、空気調和機の室内機を従来設置されていたような高所ではなく、顧客の手の届く場所に設置することができることから、フィルターの清掃等のメンテナンスを容易に行うことができるとともに、冷風を上方に吹出し、又は温風を下方に吹出せる際、ファンケーシング自体が回動することにより、その吹出し方向を上下任意に設定することができるばかりでなく、多翼ファンの性能を落とさずに空気を吹出すことが可能になる。
【００７２】また、前記上側空気吹出部には、前記室内機筐体上面に上部風向板が開閉自在に配置されるとともに、同上部風向板は室内機筐体の内側に向って凸に形成され、下側空気吹出部には、下部風向板が開閉自在に配置されるとともに同下部風向板は室内機筐体の内側に向って凹に形成されるようにしたので、空気を下方に吹出す場合には確実に下方吹出しを行え、上方に吹出す場合にも確実に上方吹出しを行うことが可能になる。
【００７３】また、前記室内機筐体の前面パネルに、操作ボタンと、運転状態や室内温度等を表示する表示部とを備えたリモートコントローラーが着脱自在に設けられるようにしたので、リモートコントローラーを室内機筐体に装着した場合には、同リモートコントローラーの運転表示部が空気調和機の運転表示部を兼ねることができ、室内機筐体に別途運転表示部を設ける必要がない。
【００７４】また、前記室内機筐体内には、熱交換器から滴下したドレン水を前記室内機筐体よりも高い位置にある配管穴を通して排水させるための揚水手段が備えられているので、ドレンパンより高所の配管穴からであっても除湿水の排水を行うことが可能となる。
【図面の簡単な説明】
【図１】（ａ）本発明の実施の形態１及び２を表す空気調和機の室内機筐体の側面断面図（ｂ）本発明の実施の形態１及び２を表す空気調和機の室内機筐体の正面部分断面図
【図２】（ａ）本発明の実施の形態１及び２を表す空気調和機の室内機筐体の側面断面図（ｂ）本発明の実施の形態１及び２を表す空気調和機の室内機筐体の正面部分断面図
【図３】本発明の実施の形態３を表す空気調和機の斜視図
【図４】本発明の実施の形態３を表すリモートコントローラー斜視図
【図５】本発明の実施の形態４を表す空気調和機の正面図
【符号の説明】
１室内機
２室内機筐体
２１ベース
３熱交換器
４送風機
４１多翼ファン
４２吹出口
４３ファンケーシング
４４回動手段
４４１歯車
４４２モータ
４５吸込開口部
４５１開口
４６モータ
５前面パネル
５１空気吸込部
５２空気吹出部
５２１上側空気吹出部
５２２下側空気吹出部
５３上部風向板
５３１上部風向板軸支部
５４下部風向板
５４１下部風向板軸支部
５５エアーフィルター部
６リモートコントローラー
６１赤外線発信部
６２電池部
６３電源／切りボタン
６４暖房ボタン
６５冷房ボタン
６６除湿ボタン
６７運転表示部
７温度センサー部
８電気品箱
９人検知センサー
１０配管穴
１１揚水手段
１２ドレンパン
１３導水管
１４配管群
【図１】
2004301403.tif 000003
【図２】
2004301403.tif 000004
【図３】
2004301403.tif 000005
【図４】
2004301403.tif 000006
【図５】
2004301403.tif 000007